【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
表示装置に接続して使用される機能計測装置であって、
被験者からの入力としての踏み動作を検知する検知手段と、
複数の踏み位置に対応して、複数の対応画像を前記表示装置に表示する対応画像表示手段と、
前記複数の対応画像の少なくとも２つに対応して、少なくとも２つの情報表示部を前記表示装置に表示する情報表示手段と、を備える機能計測装置。
【請求項２】
前記情報表示手段は、前記複数の情報表示部のうち、１つの前記情報表示部には、他の前記情報表示部に表示する情報の内容と種類の異なる内容の情報を表示する、請求項１記載の機能計測装置。
【請求項３】
前記情報表示手段は、前記複数の対応画像のうちの所定の２つの対応画像に対応して、２つの前記情報表示部を前記表示装置に表示し、互いに異なる数値を示す情報を表示する、請求項１記載の機能計測装置。
【請求項４】
前記情報表示手段は、前記複数の対応画像のうちの所定の２つの対応画像に対応して、２つの前記情報表示部を前記表示装置に表示し、互いに異なる数値を示す情報又は互いに等しい数値を示す情報を表示する、請求項１記載の機能計測装置。
【請求項５】
前記検知手段が踏み動作を検知してから所定回数の踏み動作が検知されるまでの時間を計数する第１計数手段と、
前記第１計数手段による計数結果を前記表示装置に表示する第１表示制御手段と、をさらに備える請求項１から４のいずれかに記載の機能計測装置。
【請求項６】
前記検知手段は、前記被験者が腰掛けた状態で行う踏み動作を検知する、請求項５記載の機能計測装置。
【請求項７】
予め定められた時間間隔で、映像及び／又は音声により、踏み込みのタイミングを案内する案内手段と、
前記検知手段が踏み動作を検知してから次の踏み動作を検知するまでの時間であるステップ間隔を計数する第２計数手段と、
前記予め定められた時間間隔と、前記案内の終了後に計測された前記ステップ間隔と、の差を算出する差算出手段と、
前記差を視覚的に示すための映像を前記表示装置に表示する第２表示制御手段と、をさらに備え、
前記第２計数手段は、前記検知手段が所定回数の踏み動作を検知するまで、踏み動作ごとに前記ステップ間隔を計数し、
前記差算出手段は、踏み動作ごとに前記差を算出する、請求項１から６のいずれかに記載の機能計測装置。
【請求項８】
前記検知手段は、被験者からの入力としてのジャンプ動作を検知し、
前記機能計測装置は、
前記検知手段が前記被験者の浮揚を検知してから接地を検知するまでの時間である滞空時間を計数する滞空時間計数手段と、
前記滞空時間計数手段による計数結果である前記滞空時間を前記表示装置に表示する第３表示制御手段と、をさらに備える請求項１から７のいずれかに記載の機能計測装置。
【請求項９】
前記検知手段が前記被験者の接地を検知してから浮揚を検知するまでの時間である接地時間を計数する接地時間計数手段をさらに備え、
前記滞空時間計数手段は、連続した所定回数の前記滞空時間を計数し、
前記接地時間計数手段は、連続した前記所定回数の前記接地時間を計数する、請求項８記載の機能計測装置。
【請求項１０】
前記検知手段は、被験者の足の接地及び非接地を検知し、
前記機能計測装置は、
前記被験者に対して所定時間の計時を行うことを、前記表示装置によって、又は、音声によって、指示する指示手段と、
前記指示の後、前記被験者に対して計時開始時点を、前記表示装置によって、又は、音声によって、指示する開始手段と、
前記計時開始時点から計時を開始し、足の接地から非接地への変化及び足の非接地から接地への変化のうち、予め定められた変化を、前記検知手段が検知した時に、計時を終了する第１計時手段と、をさらに備える請求項１から９のいずれかに記載の機能計測装置。
【請求項１１】
前記被験者が踏み込むべき踏み位置を前記表示装置にて明示する第１ガイド手段と、
前記第１ガイド手段が、前記被験者が踏み込むべき前記踏み位置を明示した時点から計時を開始し、前記被験者が当該踏み位置を踏み込んだ時に計時を停止する第２計時手段と、
前記第２計時手段による計時結果を前記表示装置に表示する第１結果表示手段と、をさらに備える請求項１から１０のいずれかに記載の機能計測装置。
【請求項１２】
前記第１ガイド手段は、前記被験者が踏み込むべき前記踏み位置の明示を繰り返し行う、請求項１１載の機能計測装置。
【請求項１３】
前記被験者が踏み込むべき踏み位置を前記表示装置にて繰り返し明示する第２ガイド手段と、
前記第２ガイド手段が、前記被験者が踏み込むべき前記踏み位置を最初に明示した時点から計時を開始し、所定時間経過後に計時を終了する第３計時手段と、
前記第２ガイド手段が明示した前記踏み位置を前記被験者が踏み込んだ回数を計数する第３計数手段と、
前記第３計数手段による計数結果を前記表示装置に表示する第２結果表示手段と、をさらに備える請求項１から１２のいずれかに記載の機能計測装置。
【請求項１４】
複数の踏み位置を前記被験者が踏み込むべき順番を前記表示装置にて明示する第３ガイド手段をさらに備え、
前記順番は固定であり、
前記第３ガイド手段は、前記順番の明示を繰り返し行い、明示回数の増加に従って、前記順番を明示する時間を短くし、
前記機能計測装置は、
前記検知手段の検知結果に基づいて、前記被験者が、前記ガイド手段の明示に従った踏み動作を行っていないと判定した場合に、前記第３ガイド手段に、前記順番の明示を終了させる第１判定手段をさらに備える、請求項１から１３のいずれかに記載の機能計測装置。
【請求項１５】
複数の踏み位置を前記被験者が踏み込むべき順番を前記表示装置にて明示する第４ガイド手段をさらに備え、
前記順番は任意であり、
前記第４ガイド手段は、前記順番の明示を繰り返し行い、明示回数の増加に従って、前記順番を構成する要素を増加し、
前記機能計測装置は、
前記第４ガイド手段による１回の明示の終了後の前記被験者の踏み動作に基づく前記検知手段の検知結果に基づいて、前記被験者が、その明示の終了後に前記第４ガイド手段の明示に従った踏み動作を行っていないと判定した場合に、前記第４ガイド手段に対して、前記順番の次の明示を行わないように指示する第２判定手段をさらに備える、請求項１から１４のいずれかに記載の機能計測装置。
【請求項１６】
前記検知手段は、被験者の全身運動を検知し、
前記機能計測装置は、
周期的に運動するオブジェクトを前記表示装置に表示する第４表示制御手段と、
前記検知手段による検知結果と前記オブジェクトの位置とに基づいて、一周期ごとに、成功／失敗判定を行う第３判定手段と、
前記第３判定手段が成功と判定したときに、計数値をインクリメントする第４計数手段と、をさらに備える請求項１から１５のいずれかに記載の機能計測装置。
【請求項１７】
前記第３判定手段は、前記オブジェクトの一周期の第１区間において、前記被験者の第１所定動作が検知された場合に、前記第１区間に続く第２区間において、前記被験者の第２所定動作が検知されたときに、成功であると判定し、前記第２動作が検知されなかったときに、失敗であると判定する、請求項１６記載の機能計測装置。
【請求項１８】
前記オブジェクトの形態は、線状かつ曲線であり、
前記周期運動は、回転運動である、請求項１６又は１７記載の機能計測装置。
【請求項１９】
前記検知手段は、
複数の踏み部と、
各々が対応する前記踏み部の下部に設けられる複数のスイッチと、を含むマットである、請求項１から１８のいずれかに記載の機能計測装置。